(57)【特許請求の範囲】
【請求項１】
モータケースと、上記モータケースの内側に配置されたマグネットと、上記マグネットの内側に配置され、電流の供給により回転するアーマチュアシャフトを有するアーマチュアと、上記モータケースの端部に固定されたポンプカバーと、上記モータケースの端部と上記ポンプカバーとの間の内部に形成され、流体が導入されるポンプ室と、上記ポンプ室に連通して配置された流体吸入口および流体吐出口と、上記ポンプ室内に配置されているとともに、上記アーマチュアに有するアーマチュアシャフトに結合され、該アーマチュアシャフトとともに回転することにより、上記流体吸入口からポンプ室内に流体を吸引して、流体吐出口より流体を吐出するインペラとを備え、上記インペラは、円錐台形に形成された筒部と、この筒部の外周から外方に向け放射状に突出形成された複数の羽根部とを有し、更に、上記インペラには、上記円錐台形に形成された筒部における上記ポンプ室の底壁側の端部から上記複数の羽根部における該ポンプ室の底壁側の端部までのあいだに形成され、該ポンプ室内に吸引された流体を保持する流体溜とを備えていることを特徴とするウオッシャポンプ。
【請求項２】
モータケースと、上記モータケースの内側に配置されたマグネットと、上記マグネットの内側に配置され、電流の供給により回転するアーマチュアシャフトを有するアーマチュアと、上記モータケースの端部に固定されたポンプカバーと、上記モータケースの端部と上記ポンプカバーとの間の内部に形成され、流体が導入されるポンプ室と、上記ポンプ室に連通して配置された流体吸入口および流体吐出口と、上記ポンプ室内に配置されているとともに、上記アーマチュアに有するアーマチュアシャフトに結合され、該アーマチュアシャフトとともに回転することにより、上記流体吸入口からポンプ室内に流体を吸引して、流体吐出口より流体を吐出するインペラとを備え、上記インペラは、円錐台形に形成された筒部と、この筒部の外周から外方に向け放射状に突出形成された複数の羽根部とを有し、更に、上記ポンプ室の底壁に円形の凹状に形成され、その内径寸法が上記羽根部の外径寸法よりも小さく且つ上記インペラの円錐台形に形成された筒部の外径寸法よりもわずかに大きく形成され、該ポンプ室内に吸引された流体を保持する流体溜とを備えていることを特徴とするウオッシャポンプ。
【請求項３】
モータケースと、上記モータケースの内側に配置されたマグネットと、上記マグネットの内側に配置され、電流の供給により回転するアーマチュアシャフトを有するアーマチュアと、上記モータケースの端部に固定されたポンプカバーと、上記モータケースの端部と上記ポンプカバーとの間の内部に形成され、流体が導入されるポンプ室と、上記ポンプ室に連通して配置された流体吸入口および流体吐出口と、上記ポンプ室内に配置されているとともに、上記アーマチュアに有するアーマチュアシャフトに結合され、該アーマチュアシャフトとともに回転することにより、上記流体吸入口からポンプ室内に流体を吸引して、流体吐出口より流体を吐出するインペラとを備え、上記インペラは、上記アーマチュアシャフトの軸方向に移動可能にして該アーマチュアシャフトの回転方向に一体的に結合され円錐台形に形成された筒部と、この筒部の外周から外方に向け放射状に突出形成された複数の羽根部とを有し、更に、上記インペラの羽根部には、該羽根部の回転方向の前方側の側面の上端から下端にかけて回転方向の後方側に所定角度傾斜して形成され、上記ポンプ室内に吸引された流体を該ポンプ室の底壁側に押圧して該インペラを浮上させる揚力発生部とを備えていることを特徴とするウオッシャポンプ。
【請求項４】
上記揚力発生部は、複数個の羽根部のうち、少なくとも対向配置された２個に形成されていることを特徴とする請求項３に記載のウオッシャポンプ。
【発明の詳細な説明】
【０００１】
【発明の属する技術分野】
この発明は、ウオッシャタンクに貯蔵した洗浄液を吸い込んでノズルから噴射させるウオッシャポンプに関する。
【０００２】
【従来の技術】
ウオッシャタンクに貯蔵した洗浄液を吸い込んでノズルから噴射させるウオッシャポンプとしては、アーマチュアに電流を供給すると、このアーマチュアに結合したインペラがポンプ室内で回転し、ポンプ室の一方側に連通接続されたウオッシャタンクからポンプ室内に洗浄液を吸い込み、ポンプ室の他方側に連通接続されたノズルに洗浄液を加圧送給して、ノズルから洗浄面に対し洗浄液を噴射して洗浄するものが知られている。
【０００３】
【発明が解決しようとする課題】
上記したウオッシャポンプでは、アーマチュアとともにインペラが回転する際に、インペラとポンプ室の底壁とのあいだに空気が入り込んでいることがあり、その場合、インペラがポンプ室の底壁に対して直接摺接されることになって、インペラがポンプ室の底壁に溶着する可能性があった。そして、インペラがポンプ室の底壁に固着すると、インペラが正常に回転しなくなって作動不良になるという問題点があり、この問題点を解決することが課題になっていた。
【０００４】
【発明の目的】
この発明に係わるウオッシャポンプは、インペラがポンプ室に固着しないようにすることによって、作動不良になることがないウオッシャポンプを提供することを目的としている。
【０００５】
【発明の構成】
【０００６】
【課題を解決するための手段】
この発明の請求項１に係わるウオッシャポンプでは、モータケースと、モータケースの内側に配置されたマグネットと、マグネットの内側に配置され、電流の供給により回転するアーマチュアシャフトを有するアーマチュアと、モータケースの端部に固定されたポンプカバーと、モータケースの端部とポンプカバーとの間の内部に形成され、流体が導入されるポンプ室と、ポンプ室に連通して配置された流体吸入口および流体吐出口と、ポンプ室内に配置されているとともに、アーマチュアに有するアーマチュアシャフトに結合され、該アーマチュアシャフトとともに回転することにより、流体吸入口からポンプ室内に流体を吸引して、流体吐出口より流体を吐出するインペラとを備え、インペラは、円錐台形に形成された筒部と、この筒部の外周から外方に向け放射状に突出形成された複数の羽根部とを有し、更に、インペラには、円錐台形に形成された筒部におけるポンプ室の底壁側の端部から複数の羽根部における該ポンプ室の底壁側の端部までのあいだに形成され、該ポンプ室内に吸引された流体を保持する流体溜とを備えている構成としたことを特徴としている。
【０００７】
この発明の請求項２に係わるウオッシャポンプでは、モータケースと、モータケースの内側に配置されたマグネットと、マグネットの内側に配置され、電流の供給により回転するアーマチュアシャフトを有するアーマチュアと、モータケースの端部に固定されたポンプカバーと、モータケースの端部とポンプカバーとの間の内部に形成され、流体が導入されるポンプ室と、ポンプ室に連通して配置された流体吸入口および流体吐出口と、ポンプ室内に配置されているとともに、アーマチュアに有するアーマチュアシャフトに結合され、該アーマチュアシャフトとともに回転することにより、流体吸入口からポンプ室内に流体を吸引して、流体吐出口より流体を吐出するインペラとを備え、インペラは、円錐台形に形成された筒部と、この筒部の外周から外方に向け放射状に突出形成された複数の羽根部とを有し、更に、ポンプ室の底壁に円形の凹状に形成され、その内径寸法が上記羽根部の外径寸法よりも小さく且つ上記インペラの円錐台形に形成された筒部の外径寸法よりもわずかに大きく形成され、該ポンプ室内に吸引された流体を保持する流体溜とを備えている構成としたことを特徴としている。
【０００８】
この発明の請求項３に係わるウオッシャポンプでは、モータケースと、モータケースの内側に配置されたマグネットと、マグネットの内側に配置され、電流の供給により回転するアーマチュアシャフトを有するアーマチュアと、モータケースの端部に固定されたポンプカバーと、モータケースの端部とポンプカバーとの間の内部に形成され、流体が導入されるポンプ室と、ポンプ室に連通して配置された流体吸入口および流体吐出口と、ポンプ室内に配置されているとともに、アーマチュアに有するアーマチュアシャフトに結合され、該アーマチュアシャフトとともに回転することにより、流体吸入口からポンプ室内に流体を吸引して、流体吐出口より流体を吐出するインペラとを備え、インペラは、アーマチュアシャフトの軸方向に移動可能にして該アーマチュアシャフトの回転方向に一体的に結合され円錐台形に形成された筒部と、この筒部の外周から外方に向け放射状に突出形成された複数の羽根部とを有し、更に、インペラの羽根部には、該羽根部の回転方向の前方側の側面の上端から下端にかけて回転方向の後方側に所定角度傾斜して形成され、ポンプ室内に吸引された流体を該ポンプ室の底壁側に押圧して該インペラを浮上させる揚力発生部とを備えている構成としたことを特徴としている。
【０００９】
この発明の請求項４に係わるウオッシャポンプでは、揚力発生部は、複数個の羽根部のうち、少なくとも対向配置された２個に形成されている構成としたことを特徴としている。
【００１０】
【発明の作用】
この発明の請求項１に係わるウオッシャポンプにおいて、インペラとポンプ室の底壁とのあいだに空気が入り込んでいたとしても、インペラが回転するとポンプ室内に吸引された洗浄液がインペラの筒部に形成した流体溜に流れ込むことによって空気を弾き飛ばし、流体溜に流れ込んだ洗浄液によってインペラの各羽根部の底面がポンプ室の底壁に直接摺接することがない。
【００１１】
この発明の請求項２に係わるウオッシャポンプにおいて、インペラとポンプ室の底壁とのあいだに空気が入り込んでいたとしても、インペラが回転するとポンプ室内に吸引された洗浄液がポンプ室の底壁に形成した流体溜に流れ込むことによって空気を弾き飛ばし、流体溜に流れ込んだ洗浄液によってインペラの各羽根部の底面がポンプ室の底壁に直接摺接することがない。
【００１２】
この発明の請求項３に係わるウオッシャポンプにおいて、インペラとポンプ室の底壁とのあいだに空気が入り込んでいたとしても、インペラが回転するとポンプ室内に吸引された洗浄液を、インペラの羽根部に形成した揚力発生部がポンプ室の底壁側に押圧することによって強制的に移動させて、底壁側に移動した洗浄液をインペラと底壁とのあいだに強制的に流し込む。それ故、インペラはポンプ室１０内で浮上し、インペラの各羽根部の底面がポンプ室の底壁に直接摺接することがない。
【００１３】
この発明の請求項４に係わるウオッシャポンプにおいて、揚力発生部は、インペラに有する複数個の羽根部のうちの少なくとも対向配置された２個に形成される。それ故、請求項３の作用に加え、インペラが成形される際の金型にわずかな加工を施すだけで形成される。
【００１４】
【実施例】
図１ないし図４にはこの発明に係わるウオッシャポンプの第１実施例が示されている。
【００１５】
図示するウオッシャポンプ１は、主として、モータケース２、ポンプカバー３、ヨーク４、マグネット５、アーマチュア７、第１のブラシ８、第２のブラシ９、ポンプ室１０、インペラ１１、流体流入手段１２から構成されている。
【００１６】
モータケース２には、筒状に形成されたモータケース本体２ａと、モータケース本体２ａの一端部に取付けられたエンドカバー２ｂと、モータケース本体２ａの他端部に一体に配置された逆凹状の隔板２ｃとが備えられている。
【００１７】
モータケース本体２ａの内側には、円筒形状のヨーク４が固定されており、このヨーク４の内周部に、マグネット５が固定されている。
【００１８】
エンドカバー２ｂには、中央に第１の軸受１３が取付けられており、この第１の軸受１３に、後述するアーマチュア７に備えたアーマチュアシャフト１４の一端側が回転自在に挿入されている。
【００１９】
また、エンドカバー２ｂには、コネクタ部２ｂ１が突出形成されており、このコネクタ部２ｂ１内に第１の外部端子１５、第２の外部端子１６がそれぞれ固定されている。第１、第２の外部端子１５、１６は後述する第１、第２のブラシ８、９にそれぞれ電気的に接続されている。
【００２０】
隔板２ｃには、モータケース本体２ａの内側に突出する円筒部２ｃ１が形成されており、この円筒部２ｃ１内に第２の軸受１７が取付けられており、この第２の軸受１７に、アーマチュア７に備えたアーマチュアシャフト１４の中央部が回転自在に挿通されている。
【００２１】
また、隔板２ｃの円筒部２ｃ１内には、ウオータシール１８が装着されている。ウオータシール１８には、アーマチュアシャフト１４の他端側が挿通されており、このウオータシール１８によって、モータケース本体２ａの内側が後述するポンプ室１０内に対して水密を保持されている。
【００２２】
そして、隔板２ｃには、丸孔形で貫通して形成された流体導入部２ｄが形成されている。この流体導入部２ｄは、一方が円筒部２ｃ１内を介して後述する流体吸入口２ｅ内に連通されているとともに、他方が同じく後述するポンプ室１０内に連通接続されている。
【００２３】
流体吸入口２ｅは、隔板２ｃの円筒部２ｃ１の側部からにモータケース本体２ａの径方向に円筒形状をなして突出形成されている。流体吸入口２ｅは、図示しないウオッシャタンク内に連通接続される。
【００２４】
そしてまた、逆凹状の隔板２ｃは、その下面２ｆの形状が中心に向かうにつれ該隔板２ｃの板厚が小となる傾斜面に形成されている。
【００２５】
一方、マグネット５の内周側には、アーマチュア７が配置されている。アーマチュア７には、アーマチュアシャフト１４、アーマチュアコア１９、コンミュテータ２０、アーマチュアコイル２１が備えられている。
【００２６】
アーマチュアシャフト１４は、前述したように、一端側が第１の軸受１３に回転自在に挿通され、中央部が第２の軸受１７に回転自在に挿通されていて、ウオータシール１８内を挿通した他端部が後述するポンプカバー３内に突出している。そして、アーマチュアシャフト１４の他端部寄りには、Ｄ字形の軸状に切除された係止部１４ａが形成されている。係止部１４ａには、後述するインペラ１１が噛合されている。
【００２７】
アーマチュアシャフト１４には、中央部にアーマチュアコア１９が固定されているとともに、エンドカバー２ｂ側にコンミュテータ２０が固定されている。コンミュテータ２０の外周には、複数個のコンミュテータ片２０ａがそれぞれ絶縁して配置されている。そして、アーマチュア７には、予め定められたスロット数でもってアーマチュアコア１９に設けられた巻回部１９ａに巻回されるとともにコンミュテータ片２０ａのそれぞれに電気的に接続されたアーマチュアコイル２１が備えられている。
【００２８】
コンミュテータ２０の外側には、第１、第２のブラシ８、９が配置されている。第１のブラシ８は、図示しない第１のブラシばねによってそれぞれのコンミュテータ片２０ａに電気的に接続可能に圧接されてエンドカバー２ｂに保持されている。第２のブラシ９は、図示しない第２のブラシばねによって第１のブラシ８の対向位置においてコンミュテータ片２０ａに電気的に接続可能に圧接されてエンドカバー２ｂに保持されている。
【００２９】
第１のブラシ８は、コネクタ部２ｂ１内で固定された第１の外部端子１５に電気的に接続され、第２のブラシ９は、同じくコネクタ部２ｂ１内で固定された第２の外部端子１６に電気的に接続されている。第１、第２の外部端子１５、１６は、図示しないワイパ装置に内蔵されたウオッシャ回路に電気的に接続される。
【００３０】
ウオッシャ回路には、ウオッシャスイッチが備えられており、このウオッシャスイッチがオン切換えされることによって第１の外部端子１５、第２の外部端子１６に正方向に電源を接続するように構成されている。
【００３１】
アーマチュア７は、ウオッシャ回路のウオッシャスイッチがオン切換されることによって、第１の外部端子１５にハイレベルが与えられるとともに第２の外部端子１６がローレベルになると、第１のブラシ８、この第１のブラシ８に電気的に接続している一方のコンミュテータ片２０ａ、この一方のコンミュテータ片２０ａに電気的に接続されたスロットにおいてのアーマチュアコイル２１、このアーマチュアコイル２１に電気的に接続された他方のコンミュテータ片２０ａ、この他方のコンミュテータ片２０ａに電気的に接続している第２のブラシ９、接地を通る回路に正方向の電流が流れて、アーマチュアコイル２１より磁力が発生し、アーマチュアコイル２１が発生している磁力と、マグネット５より発生している磁力とによる電磁誘導作用によってアーマチュアシャフト１４が正回転を始める。
【００３２】
他方、ポンプカバー３は、有底円筒形状に形成され、円筒形状のポンプカバー本体３ａと、ポンプカバー本体３ａの一端部に平板状にして設けられた底板３ｂとを有する。ポンプカバー３は、底板３ｂがモータケース２の隔板２ｃに対向するように、ポンプカバー本体３ａの他端部が該モータケース２の隔板２ｃに固定されている。
【００３３】
ポンプカバー本体３ａには、流体吐出口３ｃが形成されている。流体吐出口３ｃは、図２に示されるように、モータケース本体２ａの外周縁の接線方向に突出形成されている。流体吐出口３ｃは、一方が流体導入部２ｄに連通されており、他方が図示しないウオッシャノズルに連通管路を通じて連通接続される。
【００３４】
そして、ポンプカバー本体３ａに有する内壁３ａ１と、底板３ｂの底壁３ｂ１と、隔板２ｃの下面２ｆとにより囲まれた空間がポンプ室１０となる。ポンプ室１０は、一方が流体導入部２ｄを通じて流体吸入口２ｅ内に連通され、他方が流体吐出口３ｃ内に連通されている。ポンプ室１０内にはインペラ１１が配置されている。尚、底壁３ｂ１は、ポンプ室１０の底壁となる。
【００３５】
インペラ１１には、図３に示されるように、筒部１１ａと羽根部１１ｂとが一体に備えられている。筒部１１ａは、円錐台形に形成されており、この筒部１１ａの中央には、図１、図４に示されるように、軸方向にＤ字状をなすシャフト挿入用孔１１ａ１が形成されている。このシャフト挿入用孔１１ａ１は、前述したアーマチュアシャフト１４に形成したＤ字形の軸状に切除された係止部１４ａの外形よりもわずかに大きいため、このシャフト挿入用孔１１ａ１にアーマチュアシャフト１４の係止部１４ａが挿入されることによって、筒部１１ａがアーマチュアシャフト１４に係止されてインペラ１１はアーマチュアシャフト１４とともに回転する。
【００３６】
羽根部１１ｂは、例えば６枚からなり、筒部１１ａの外周から外方に向け等間隔で放射状に突出形成されている。羽根部１１ｂは、外径寸法が前述したポンプカバー本体３ａの内壁３ａ１の内径寸法よりも小さく、高さ寸法が隔板２ｃにおいて傾斜面に形成した下面２ｆから底板３ｂの底壁３ｂ１までであるポンプ室１０の高さ寸法よりも小さく形成されている。つまり、傾斜面に形成した下面２ｆに対応して、各羽根部１１ｂは中間部から先端部に向かうにつれ高さ寸法が小となるように形成されている。
【００３７】
そして、このインペラ１１には、ポンプ室１０内に吸引された流体を常時保持する流体溜１２が形成されている。流体溜１２は、該インペラ１１の円錐台形に形成された筒部１１ａにおけるポンプ室１０の底壁３ｂ１側の端部から各羽根部１１ｂにおける該ポンプ室１０の底壁３ｂ１側の端部までのあいだに、底板３ｂに向けて開口した空間状に形成されている。この流体溜１２は、筒部１１ａの下部から各羽根部１１ｂの下部までのわずかな高さ寸法を有するものとして形成されている。
【００３８】
流体溜１２は、インペラ１１の下方に向けて開放されているため、ポンプ室１０内に吸引された流体を常時保持する。その際、インペラ１１とポンプ室１０の底壁３ｂ１とのあいだに空気が入り込んでいたとしても、インペラ１１がアーマチュアシャフト１４とともに回転する際に、ポンプ室１０内に吸引された洗浄液が流体溜１２に流れ込むことによって空気を弾き飛ばし、流体溜１２に流れ込んだ洗浄液によってインペラ１１の各羽根部１１bの底面がポンプ室１０の底壁３ｂ１に直接摺接しないようにする機能を有する。従ってインペラ１１がポンプ室１０に固着せず作動不良になることがない。また、流体溜１２は、インペラ１１の各羽根部１１bとポンプ室１０の底壁３ｂ１との間に発生した熱を冷却することによって熱の発生を防止する機能を有する。流体溜１２により、インペラ１１がアーマチュアシャフト１４とともに回転する際に、ポンプ室１０内においてキャビテーション（ｃａｖｉｔａｔｉｏｎ）等が容易に発生することはない。流体溜１２は、インペラ１１の筒部１１ａにおけるポンプ室１０の底壁３ｂ１側の端部から各羽根部１１ｂにおける該ポンプ室１０の底壁３ｂ１側の端部までのあいだに形成されているため、流体溜１２を形成するに際し、インペラ１１を成形する際の金型にわずかな加工を施すだけでよい。
【００３９】
このような構造を有するウォッシャポンプ１は、第１、第２の外部端子１５、１６がワイパ装置に内蔵されたウオッシャ回路に電気的に接続され、流体吐出口３ｃが連通管路を通じてウオッシャノズルに連通接続され、流体吸入口２ｅがウオッシャタンク内に連通接続されて、このウオッシャタンクの側部に取付けられる。
【００４０】
ウオッシャ回路のウオッシャスイッチがオン切換されると、第１の外部端子１５にハイレベルが与えられるとともに第２の外部端子１６がローレベルになるため、アーマチュア７がアーマチュアシャフト１４とともに正回転を始める。
【００４１】
アーマチュアシャフト１４が正回転を始めることによって、インペラ１１もアーマチュアシャフト１４とともに正回転するため、流体導入部２ｄに負圧が生じ、流体導入部２ｄに生じた負圧によってウオッシャタンクに貯蔵された洗浄液が流体吸入口２ｅからポンプ室１０内に吸引され、洗浄液が流体吐出口３ｃから連通管路を通じてウオッシャノズルに送給されて、ウオッシャノズルから洗浄面に向けて噴射される。
【００４２】
洗浄液をウオッシャノズルから洗浄面に向けて噴射している間にアーマチュア７が回転するウオッシャポンプ１は、インペラ１１が流体溜１２に流れ込んだ洗浄液によってポンプ室１０の底壁３ｂ１に直接摺接しないで回転するものとなる。
【００４３】
図５には、この発明に係わるウオッシャポンプの第２実施例が示されている。
【００４４】
この場合のウオッシャポンプ１では、流体溜１２ａがインペラ１１に設けられておらず、ポンプカバー３に有する底板３ｂの底壁３ｂ１、即ち、ポンプ室１０の底壁３ｂ１に形成されており、他の部位は第１実施例と同一になっている。
【００４５】
この場合の流体溜１２ａは、ポンプ室１０の底壁３ｂ１のほぼ中央に円形の凹状に形成されている。流体溜１２ａは、内径寸法がインペラ１１に有する羽根部１１ｂの外径寸法よりも小さく、円錐台形に形成された筒部１１ａの外周端部１１ｃまでの外径寸法よりもわずかに大きく形成され、且つ、深さ寸法が底板３ｂの板厚寸法のほぼ三分の一になっている。
【００４６】
そして、この場合の流体溜１２ａは、ポンプ室１０内に吸引された流体を常時保持する。その際、インペラ１１と底板３ｂの底壁３ｂ１とのあいだに空気が入り込んでいたとしても、インペラ１１がアーマチュアシャフト１４とともに回転する際に、ポンプ室１０内に吸引された洗浄液が流体溜１２ａに流れ込むことによって空気を弾き飛ばし、流体溜１２ａに流れ込んだ洗浄液によってインペラ１１の各羽根部１１ｂの底面がポンプ室１０の底壁３ｂ１に直接摺接しないようにする機能を有する。従ってインペラ１１がポンプ室１０に固着せず作動不良になることがない。また、流体溜１２ａは、インペラ１１の各羽根部１１ｂとポンプ室１０の底壁３ｂ１との間に発生した熱を冷却することによって熱の発生を防止する機能を有する。
【００４７】
流体溜１２ａは、底板３ｂの中央でわずかな深さ寸法を有し、インペラ１１の羽根部１１ｂの外径寸法よりも小さい内径寸法を有するものであるため、容積が小さくなっており、それによって、インペラ１１がアーマチュアシャフト１４とともに回転する際に、キャビテーション（ｃａｖｉｔａｔｉｏｎ）等が容易に発生することはない。流体溜１２ａは、ポンプカバー３の底板３ｂの底壁３ｂ１に形成されているため、流体溜１２ａを形成するに際し、ポンプカバー３を成形する際の金型にわずかな加工を施すだけでよい。
【００４８】
この場合のウオッシャポンプ１は、アーマチュアシャフト１４が正回転を始めると、インペラ１１もアーマチュアシャフト１４とともに正回転するため、流体導入部２ｄに負圧が生じ、流体導入部２ｄに生じた負圧によって、洗浄液が流体吸入口２ｅからポンプ室１０内に吸引され、流体吐出口３ｃから連通管路を通じてウオッシャノズルに洗浄液が送給されて、ウオッシャノズルから洗浄面に向けて噴射される。
【００４９】
そして、洗浄液をウオッシャノズルから洗浄面に向けて噴射している間にアーマチュア７が回転するウオッシャポンプ１は、インペラ１１が流体溜１２ａに流れ込んだ洗浄液によってポンプ室１０の底壁３ｂ１に直接摺接しないで回転する。
【００５０】
図６および図７には、この発明に係わるウオッシャポンプの第３実施例が示されている。
【００５１】
この場合のウオッシャポンプ１では、インペラ１１の羽根部１１ｂに揚力発生部１２ｂを形成している。また、インペラ１１はアーマチュアシャフト１４に対して軸方向には移動可能であるが、該アーマチュアシャフト１４の回転方向には一体的に結合されている。他の部位は第１実施例と同一になっている。
【００５２】
揚力発生部１２ｂは、図７に示されるように、インペラ１１に有する６枚の羽根部１１ｂにおいて、回転方向の前方側の側面の上端から下端にかけて回転方向の後方側に所定角度（ほぼ５度）傾斜して形成されている。揚力発生部１２ｂは、６枚の羽根部１１ｂの全部にそれぞれ形成されているが、全部に限らず、少なくとも対向配置された２個に形成されるのが望ましい。
【００５３】
そして、揚力発生部１２ｂは、インペラ１１がアーマチュアシャフト１４とともに回転する際に、ポンプ室１０内に吸引され、インペラ１１の羽根部１１ｂに衝突した洗浄液を底板３ｂの底壁３ｂ１側、即ち、ポンプ室１０の底壁３ｂ１側に押圧することによって強制的に移動させて、底壁３ｂ１側に移動した洗浄液をインペラ１１と底板３ｂの底壁３ｂ１とのあいだに強制的に流し込むことによって、インペラ１１をポンプ室１０内で浮上させる機能を有する。それによって、インペラ１１とポンプ室１０の底壁３ｂ１とのあいだに空気が入り込んでいたとしても、インペラ１１がポンプ室１０の底壁３ｂ１に直接摺接することがなく、従ってインペラ１１がポンプ室１０に固着せず作動不良になることがない。また、揚力発生部１２ｂは、インペラ１１とポンプ室１０の底壁３ｂ１との間に発生した熱を冷却することによって熱の発生を防止する機能を有する。揚力発生部１２ｂは、インペラ１１の羽根部１１ｂに形成されているため、揚力発生部１２ｂを形成するに際し、インペラ１１を成形する際の金型にわずかな加工を施すだけでよい。
【００５４】
この場合のウオッシャポンプ１は、アーマチュアシャフト１４が正回転を始めると、インペラ１１もアーマチュアシャフト１４とともに正回転するため、流体導入部２ｄに負圧が生じ、流体導入部２ｄに生じた負圧によって流体吸入口２ｅからポンプ室１０内に洗浄液が吸引され、流体吐出口３ｃから連通管路を通じてウオッシャノズルに洗浄液が送給され、ウオッシャノズルから洗浄面に向けて噴射される。
【００５５】
そして、洗浄液をウオッシャノズルから洗浄面に向けて噴射している間にアーマチュア７が回転するウオッシャポンプ１は、インペラ１１に形成された揚力発生部１２ｂがインペラ１１の羽根部１１ｂに衝突した洗浄液をポンプ室１０の底壁３ｂ１側に押圧移動させ、底壁３ｂ１側に移動した洗浄液をインペラ１１とポンプ室１０の底壁３ｂ１とのあいだに強制的に流し込むことによって、インペラ１１がポンプ室１０内で浮上しながら回転するため、インペラ１１とポンプ室１０の底壁３ｂ１とのあいだに強制的に流し込まれた洗浄液によって、該ポンプ室１０の底壁３ｂ１に直接摺接しないでインペラ１１が回転するものとなる。
【００５６】
【発明の効果】
以上説明してきたように、この発明の請求項１に係わるウオッシャポンプによれば、インペラとポンプ室の底壁とのあいだに空気が入り込んでいたとしても、インペラが回転するとポンプ室内に吸引された洗浄液がインペラの筒部に形成した流体溜に流れ込むことによって空気を弾き飛ばし、流体溜に流れ込んだ洗浄液によってインペラの各羽根部の底面がポンプ室の底壁に直接摺接することがない。それ故、インペラがポンプ室に固着することがなく、作動不良になることがないという優れた効果を奏する。また、流体溜はインペラの筒部におけるポンプ室の底壁側の端部から各羽根部における該ポンプ室の底壁側の端部までのあいだに形成されているため、インペラを成形する際の金型にわずかな加工を施すだけで得られる。
【００５７】
この発明の請求項２に係わるウオッシャポンプによれば、インペラとポンプ室の底壁とのあいだに空気が入り込んでいたとしても、インペラが回転するとポンプ室内に吸引された洗浄液がポンプ室底壁に形成した流体溜に流れ込むことによって空気を弾き飛ばし、流体溜に流れ込んだ洗浄液によってインペラの各羽根部の底面がポンプ室の底壁に直接摺接することがない。それ故、インペラがポンプ室に固着することがなく、作動不良になることがないという優れた効果を奏する。また、流体溜はポンプカバーの底板の底壁に形成されているため、ポンプカバーを成形する際の金型にわずかな加工を施すだけで得られる。
【００５８】
この発明の請求項３に係わるウオッシャポンプによれば、インペラとポンプ室の底壁とのあいだに空気が入り込んでいたとしても、インペラが回転するとポンプ室内に吸引された洗浄液を、インペラの羽根部に形成した揚力発生部がポンプ室の底壁側に押圧することによって強制的に移動させて、底壁側に移動した洗浄液をインペラと底壁とのあいだに強制的に流し込む。それ故、インペラはポンプ室内で浮上し、インペラの各羽根部の底面がポンプ室の底壁に直接摺接することがなく、従ってインペラがポンプ室に固着せず、作動不良になることがないという優れた効果を奏する。
【００５９】
この発明の請求項４に係わるウオッシャポンプによれば、揚力発生部は、複数個の羽根部のうちの少なくとも対向配置された２個に形成される。それ故、請求項３の効果に加え、インペラが成形される際の金型にわずかな加工を施すだけで形成されるという優れた効果を奏する。
【図面の簡単な説明】
【図１】この発明に係わるウオッシャポンプの第１実施例の縦断正面図である。
【図２】図１に示したウオッシャポンプの底面図である。
【図３】図１に示したウオッシャポンプにおいてのインペラの単体外観斜視図である。
【図４】図１に示したウオッシャポンプにおいてのインペラの底面図である。
【図５】この発明に係わるウオッシャポンプの第２実施例の縦断正面図である。
【図６】この発明に係わるウオッシャポンプの第３実施例の縦断正面図である。
【図７】図６に示したウオッシャポンプにおいてのインペラの単体外観斜視図である。
【符号の説明】
１      ウオッシャポンプ
２      モータケース
２ｅ    流体吸入口
３      ポンプカバー
３ｂ１  底壁
３ｃ    流体吐出口
５      マグネット
７      アーマチュア
１０    ポンプ室
１１    インペラ
１１ａ  筒部
１１ｂ  羽根部
１２    流体溜
１２ａ  流体溜
１２ｂ  揚力発生部
１４    アーマチュアシャフト
【図１】
0003754159.tif 000002
【図２】
0003754159.tif 000003
【図３】
0003754159.tif 000004
【図４】
0003754159.tif 000005
【図５】
0003754159.tif 000006
【図６】
0003754159.tif 000007
【図７】
0003754159.tif 000008